(57)【特許請求の範囲】
【請求項１】
複数の電線の一端が共通の単一コネクタに接続され、前記共通の単一コネクタから引き出された前記複数の電線がユニット化される多枝線用プロテクタであって、
複数の電線を内部に収容して保護する本体部と、
前記本体部の内部に連通して設けられ、前記複数の電線を前記本体部の内部に導入させる導入部と、
前記本体部における前記導入部とは異なる位置から独立して突出する形態をなし、前記複数の電線を外部に導出させるとともに、前記複数の電線の他端をそれぞれ所定の位置に位置決めする複数の導出部とを備え、
前記導入部には、前記複数の電線を独立して挿通させる複数の電線挿通孔が設けられており、
前記電線挿通孔は、前記導入部の入口から前記本体部の内部を貫通して前記導出部の出口に至るまで設けられており、
前記電線挿通孔は、前記電線の直径よりも一回り大きな内径とされている多枝線用プロテクタ。
【請求項２】
前記導出部から外部に導出された各電線の長さがそれぞれ同じとなる請求項１に記載の多枝線用プロテクタ。
【請求項３】
前記導出部は筒状をなしている請求項１または請求項２に記載の多枝線用プロテクタ。
【請求項４】
隣り合う一対の前記導出部は、前記本体部側の端部において互いに連結されている請求項３に記載の多枝線用プロテクタ。
【請求項５】
前記所定の位置において、前記複数の電線の先端に電気部品が接続されている請求項１から請求項４のいずれか一項に記載の多枝線用プロテクタ。
【発明の詳細な説明】
【技術分野】
【０００１】
本明細書によって開示される技術は、多枝線用プロテクタに関する。
【背景技術】
【０００２】
従来、例えばオートマチックトランスミッションなどの機器のケースの内部に取り付け固定される配電盤として、例えば特開２０１１−２４９２２１号公報（下記特許文献１）に記載のものが知られている。この配電盤は、複数の電線が引き出されたコネクタと、電線およびコネクタを固定するブラケットとを備えて構成され、コネクタを介して外部回路に接続されるようになっている。複数の電線は、それぞれ保護チューブに収容されており、複数の電線が保護チューブとともに結束バンドで巻き付けられてブラケットに固定されている。
【先行技術文献】
【特許文献】
【０００３】
【特許文献１】特開２０１１−２４９２２１号公報
【発明の概要】
【発明が解決しようとする課題】
【０００４】
しかしながら、上記の工法によると、複数の電線を１本ずつ保護チューブに通す作業が必要になり、さらに、これらを結束バンドで固定する作業が必要になるため、加工コストがかかるという問題がある。
【課題を解決するための手段】
【０００５】
本明細書によって開示される多枝線用プロテクタは、複数の電線の一端が共通の単一コネクタに接続され、前記共通の単一コネクタから引き出された前記複数の電線がユニット化される多枝線用プロテクタであって、前記複数の電線を内部に収容して保護する本体部と、前記本体部の内部に連通して設けられ、前記複数の電線を前記本体部の内部に導入させる導入部と、前記本体部における前記導入部とは異なる位置から独立して突出する形態をなし、前記複数の電線を外部に導出させるとともに、前記複数の電線の他端をそれぞれ所定の位置に位置決めする複数の導出部とを備え、前記導入部には、前記複数の電線を独立して挿通させる複数の電線挿通孔が設けられており、前記電線挿通孔は、前記導入部の入口から前記本体部の内部を貫通して前記導出部の出口に至るまで設けられており、前記電線挿通孔は、前記電線の直径よりも一回り大きな直径とされている構成とした。
【０００６】
このような構成によると、電線を導入部から本体部の内部に導入させ、導出部から外部に導出させることで電線の先端を所定の位置に案内することができる。各電線の先端を所定の位置に案内し終えたら、各電線が多枝線用プロテクタによってユニット化された状態となる。したがって、複数の電線を１本ずつ保護チューブに通した後、これらを結束バンドなどで結束する作業が不要になる。このように、電線の先端の位置決めと電線の保護とを同時に実施することができ、保護チューブなどの電線保護材を電線毎にカットする工程が不要になる。このため、作業工数の削減に伴って加工コストを削減できる。
【０００７】
本明細書によって開示される多枝線用プロテクタは、以下の構成としてもよい。
前記導出部から外部に導出された各電線の長さがそれぞれ同じとなる構成としてもよい。
このような構成によると、電線を正規の導出部とは異なる導出部から外部に導出させた場合に、導出部から電線自体が飛び出さない、あるいは導出部から飛び出す電線の長さが正規の長さとは異なるために、電線の誤組を検知できる。
【０００８】
前記導出部は筒状をなしている構成としてもよい。
このような構成によると、導出部においても電線を保護することができる。
【０００９】
隣り合う一対の前記導出部は、前記本体部側の端部において互いに連結されている構成としてもよい。
このような構成によると、隣り合う一対の導出部が一体として構成されるため、導出部の変形を抑制しやすくなる。
【００１０】
前記所定の位置において、前記複数の電線の先端に電気部品が接続されている構成としてもよい。
このような構成によると、所定の位置において、電気部品を相手側電気部品に正しく接続でき、相手側電気部品との誤組を防止できる。
【発明の効果】
【００１１】
本明細書によって開示される技術によれば、電線の先端の位置決めと電線の保護とを同時に実施することができ、保護チューブなどの電線保護材を電線毎にカットする工程が不要になる。したがって、作業工数の削減に伴って加工コストを削減できる。
【図面の簡単な説明】
【００１２】
【図１】複数の電線が多枝線用グロメットによってユニット化された状態を斜め上方から見た斜視図
【図２】複数の電線が多枝線用グロメットによってユニット化された状態を正面から見た正面図
【図３】多枝線用グロメットを配電盤に適用した様子を例示した平面図
【図４】図３との比較として従来の配電盤を示した平面図
【発明を実施するための形態】
【００１３】
＜実施形態＞
実施形態を図１から図３の図面を参照しながら説明する。また、以下において上下方向とは図２を基準とするものとする。本実施形態の多枝線用グロメット１０はゴムなどの軟質材からなる、いわゆるプロテクタであり、図２に示すように、本体部２０と、本体部２０の下端部に開口して設けられた導入部３０と、本体部２０の上端から上方に突出して設けられた複数の導出部４０とを備えて構成されている。
【００１４】
本体部２０は、複数の電線５０を内部に収容して保護している。電線５０は、導電性の芯線が絶縁被覆に覆われた被覆電線とされている。図２に示すように、多枝線用グロメット１０の内部には、複数の電線５０を独立して挿通させる複数の電線挿通孔２１が設けられている。この電線挿通孔２１は、導入部３０の入口３１から本体部２０の内部を貫通して導出部４０の出口４１に至るまで設けられており、電線５０の直径よりも一回り大きな内径とされている。このため、電線５０は、導入部３０の入口３１から本体部２０の内部に進入した後、電線挿通孔２１を円滑に通って導出部４０の出口４１まで導かれ、ここから外部に導出するようになっている。
【００１５】
導入部３０は、複数の電線５０に対応して複数の入口３１を有している。例えば、複数の入口３１にそれぞれ番号を振っておき、各入口３１に挿入される電線５０にも同じ番号を振っておけば、複数の電線５０を多枝線用グロメット１０に組み付ける際に、同じ番号の電線５０と入口３１を照合させることで、多枝線用グロメット１０に対する電線５０の誤組を防止することが可能になる。
【００１６】
図１に示すように、導出部４０は略円筒状をなし、本体部２０の上端から上方に突出して設けられている。導出部４０の内部空間は、電線挿通孔２１の一部を構成している。各導出部４０は、本体部２０の上端から独立して突出する形態をなしているものの、隣り合う一対の導出部４０は、本体部２０側の端部において互いに連結されている。
【００１７】
導出部４０から外部に導出された各電線５０の長さはそれぞれ同じとされている。これは、各導出部４０が各電線５０の長さに合わせて作られていることを意味している。図２においては、各電線５０の長さが異なるため、各導出部４０の長さも異なるように設けられている。このようにすれば、導出部４０から外部に飛び出した電線５０の長さを確認することで電線５０の誤組を簡単に知ることができる。
【００１８】
電線５０の先端には、電気部品６０が接続されている。電気部品６０は、図示しない相手側電気部品に接続されるようになっている。通常、相手側電気部品の位置は固定であり、相手側電気部品に対応する正しい電気部品６０を接続する必要がある。その点、本実施形態の多枝線用グロメット１０によれば、各電線５０の先端の位置を位置決めすることができるので、各電線５０を多枝線用グロメット１０に組み付けることで電気部品６０を正しい相手側電気部品に接続することができる。
【００１９】
＜実施例＞
次に、上記実施形態の多枝線用グロメット１０を配電盤１１に適用した実施例を図３を参照しながら説明する。この実施例では、図１および図２で説明した多枝線用グロメット１０に対応する構成を、各符号の末尾にＡを付して説明する。したがって、本実施例の多枝線用グロメットについては符号１０Ａを付す。
【００２０】
配電盤１１は、複数の電線５０と、これらの電線５０を保持する金属製のブラケット７０とを備えて構成されている。電線５０の一端は、図示しない筐体の取付孔に嵌合するハーネス側コネクタ６１に接続され、電線５０の他端は、図示しない電子機器に接続される複数の機器側コネクタ６２や丸端子６３などに接続されている。
【００２１】
ハーネス側コネクタ６１から複数の電線５０が束になって引き出されており、これらの電線５０の束が電線保護チューブ５１内に収容された状態で屈曲しながらブラケット７０の載置面７１に案内されている。電線保護チューブ５１内から外部に導出した複数の電線５０の束は、多枝線用グロメット１０Ａの導入部３０Ａの手前において放射状に分岐され、導入部３０Ａから本体部２０Ａ内に導入される。そして、本体部２０Ａ内において各電線５０が所定の経路に沿って所定の導出部４０Ａに案内される。これにより、各導出部４０Ａから外部に導出された各電線５０の先端に接続された機器側コネクタ６２および丸端子６３は、所定の接続位置に位置決めされる。よって、各機器側コネクタ６２および丸端子６３は、相手側電気部品に対して正しく接続される。
【００２２】
一方、図４に示すように、従来の配電盤１においては、複数の電線５０を１本ずつ保護チューブ２に通す作業が必要になり、さらに、これらを結束バンド３で固定する作業が必要になる。しかも、結束バンド３で固定する箇所は複数あるため、固定に要する作業時間も長くなる。この点、本実施例の多枝線用グロメット１０Ａによると、複数の電線５０を多枝線用グロメット１０Ａに組み付けるだけでよく、保護チューブ２を所定の長さに切り出す作業や、結束バンド３で保護チューブ２と電線５０を巻き付けて固定する作業などが不要になる分、作業時間が短縮され、加工コストを低減できる。
【００２３】
以上のように本実施形態によって開示される多枝線用グロメット１０、１０Ａは、複数の電線５０を内部に収容して保護する本体部２０、２０Ａと、本体部２０、２０Ａの内部に連通して設けられ、複数の電線５０を本体部２０、２０Ａの内部に導入させる導入部３０、３０Ａと、本体部２０、２０Ａにおける導入部３０、３０Ａとは異なる位置から独立して突出する形態をなし、複数の電線５０を外部に導出させるとともに、複数の電線５０の先端をそれぞれ所定の位置に位置決めする複数の導出部４０、４０Ａとを備えた構成とした。
【００２４】
このような構成によると、電線５０を導入部３０、３０Ａから本体部２０、２０Ａの内部に導入させ、導出部４０、４０Ａから外部に導出させることで電線５０の先端を所定の位置に案内することができる。各電線５０の先端を所定の位置に案内し終えたら、各電線５０が多枝線用グロメット１０、１０Ａによってユニット化された状態となる。したがって、複数の電線５０、５０Ａを１本ずつ保護チューブに通した後、これらを結束バンドなどで結束する作業が不要になる。このように、電線５０の先端の位置決めと電線５０の保護とを同時に実施することができ、保護チューブなどの電線保護材を電線毎にカットする工程が不要になる。このため、作業工数の削減に伴って加工コストを削減できる。
【００２５】
また、導出部４０、４０Ａから外部に導出された各電線５０の長さがそれぞれ同じとなる構成としてもよい。
このような構成によると、電線５０を正規の導出部４０、４０Ａとは異なる導出部４０、４０Ａから外部に導出させた場合に、導出部４０、４０Ａから電線５０自体が飛び出さない、あるいは導出部４０、４０Ａから飛び出す電線５０の長さが正規の長さとは異なるために、電線５０の誤組を検知できる。
【００２６】
また、導出部４０、４０Ａは筒状をなしている構成としてもよい。
このような構成によると、導出部４０、４０Ａにおいても電線５０を保護することができる。
【００２７】
隣り合う一対の導出部４０、４０Ａは、本体部２０、２０Ａ側の端部において互いに連結されている構成としてもよい。
このような構成によると、隣り合う一対の導出部４０、４０Ａが一体として構成されるため、導出部４０、４０Ａの変形を抑制しやすくなる。
【００２８】
また、所定の位置において、複数の電線５０の先端に電気部品６０が接続されている構成としてもよい。
このような構成によると、所定の位置において、電気部品６０を相手側電気部品に正しく接続でき、相手側電気部品との誤組を防止できる。
【００２９】
＜他の実施形態＞
本明細書によって開示される技術は上記記述及び図面によって説明した実施形態に限定されるものではなく、例えば次のような種々の態様も含まれる。
（１）上記実施形態では導出部４０、４０Ａにおいても電線５０を内部に収容して保護するものを例示しているものの、導出部は電線５０の案内機能のみを有するものとしてもよい。
【００３０】
（２）上記実施形態では導出部４０、４０Ａから外部に導出された各電線５０の長さがほぼ同じ長さとなるようにされているものの、異なる長さとなるようにしてもよい。
【００３１】
（３）上記実施形態では円筒状の導出部４０を例示しているものの、角筒状の導体部としてもよい。
【００３２】
（４）上記実施形態では各導出部４０、４０Ａの端部が互いに連結されているものの、各導出部が完全に独立して切り離されているものとしてもよい。
【００３３】
（５）上記実施形態では電線５０の先端に電気部品６０が接続されているものを例示したが、電気部品６０が接続されていない電線５０にも適用することができる。
【符号の説明】
【００３４】
１０、１０Ａ…多枝線用グロメット
２０、２０Ａ…本体部
３０、３０Ａ…導入部
４０、４０Ａ…導出部
５０…電線
６０…電気部品
６２…機器側コネクタ（電気部品）
６３…丸端子（電気部品）
【図１】
0006520224.tif 000002
【図２】
0006520224.tif 000003
【図３】
0006520224.tif 000004
【図４】
0006520224.tif 000005